(57)【特許請求の範囲】
【請求項１】
流入口と流出口とが設けられたボディ部と、
エレメントとケースとが一体に形成されたカートリッジ型に形成され、前記ボディ部の接続用雄螺に着脱自在に取り付け可能な接続用雌螺孔を有するフィルタと、
前記ボディ部に設けられたマグネット装着孔と、
前記流入口から前記フィルタに至る第１の流路と、前記接続用雄螺内部に形成され、前記マグネット装着孔に至る第２の流路とを有し、前記流入口と前記流出口とを連絡する流路と、
扁平な貫通孔が一対の収納凹部に挟まれるようにして設けられ、一対の収納凹部内にＳ磁極とＮ磁極が貫通孔を挟んで対向するように収納され、前記貫通孔が前記第２の流路に連通するようにして前記マグネット装着孔に装着される装着管体と、
前記マグネット装着孔を閉塞する蓋体と、を具備し、
前記装着管体は、
前記貫通孔が開口する上面の周縁部分に、前記蓋体の下面と当接する壁部が周設され、
該壁部には、前記貫通孔と前記流出口とを連通させるための透孔が１または２以上設けられ、
前記マグネット装着孔内に挿入された際には、下面が前記マグネット装着孔の底面に密着するように前記蓋体で壁部の上端が下方に押圧されて成ることを特徴とする液体用フィルタ装置。
【発明の詳細な説明】
【０００１】
【発明の属する技術分野】
本発明は、液体用フィルタ装置に関し、特に詳細には自動車、金型用温調機、循環風呂等に使用される液体用フィルタ装置に関する。
【０００２】
【従来の技術】
従来から、金型等を所定の温度に調節するため、所定の温度に設定した液体を金型内に循環させる温度調節機（以下、温調機とも言う）が使用されている。
そして、循環させる液体内に混入した異物を除去するため、配管等を用いて構成された液体の流路の一部に液体用フィルタ装置を取り付けている。
また、流路として使用される配管の管壁に付着したスケールをクリーニングするため、配管の一部にマグネットを配置し、流路を流れる液体（例えば水）に、当該水の流れる方向と磁力線とが直交するように強磁界をかけて強磁性化し、この強磁性化された水を配管に流すようにすることも一般的に行われている。
このクリーニングの動作の概要は、強磁性化された水が配管内を流れることによって、強磁性化された水と配管の内壁面に付着したスケールとの間に磁気的吸引作用が働き、スケールが剥離し易くなると共に、スケール自体が次第に軟化して水流によってはぎ取られ易くなる。そして、剥離したスケールは配管内を流れて最終的には液体用フィルタ装置によって濾過される。これによって水が浄化されるのである。
また、マグネットからの磁力線により、水のクラスタ（分子集団）を小さくして活性化し、水質を改善することも同時に行われるため、一旦クリーニングされた後には、新たなスケールが配管の壁面に付着しにくくなるという効果もある。
【０００３】
【発明が解決しようとする課題】
しかしながら、上記従来の液体用フィルタ装置には次のような課題がある。
上記のような浄化能力を水に効果的に与えるためには、水が通過する場所の磁界を強くして、より強い磁気を水に与える必要がある。このためにはＮ磁極とＳ磁極の磁力が磁石の性能で決定されてしまうことを考慮すると、各磁極間の距離を縮める以外には方法がないが、従来では循環路を構成する配管（通常は、断面が円形の管が使用されている）を中心としてＮ磁極とＳ磁極とを対向させて配置している関係上、Ｎ磁極とＳ磁極との間の距離は配管の直径に規制されて、それ以上接近させることはできない。よって、強い磁気を水に与えることができず、流路に付着したスケール等のクリーニングが効果的に行えないと共に、水の活性化も十分に行えないという課題がある。
【０００４】
従って、本発明は上記課題を解決すべくなされ、その目的とするところは、磁極の磁力が一定であっても液体に強い磁界をかけることができ、流路のクリーニングと液体の活性化を効果的に行える液体用フィルタ装置を提供することにある。
【０００５】
【課題を解決するための手段】
本発明は上記目的を達成するため次の構成を備える。
すなわち、流入口と流出口とが設けられたボディ部と、エレメントとケースとが一体に形成されたカートリッジ型に形成され、前記ボディ部の接続用雄螺に着脱自在に取り付け可能な接続用雌螺孔を有するフィルタと、前記ボディ部に設けられたマグネット装着孔と、前記流入口から前記フィルタに至る第１の流路と、前記接続用雄螺内部に形成され、前記マグネット装着孔に至る第２の流路とを有し、前記流入口と前記流出口とを連絡する流路と、扁平な貫通孔が一対の収納凹部に挟まれるようにして設けられ、一対の収納凹部内にＳ磁極とＮ磁極が貫通孔を挟んで対向するように収納され、前記貫通孔が前記第２の流路に連通するようにして前記マグネット装着孔に装着される装着管体と、前記マグネット装着孔を閉塞する蓋体と、を具備し、前記装着管体は、前記貫通孔が開口する上面の周縁部分に、前記蓋体の下面と当接する壁部が周設され、該壁部には、前記貫通孔と前記流出口とを連通させるための透孔が１または２以上設けられ、前記マグネット装着孔内に挿入された際には、下面が前記マグネット装着孔の底面に密着するように前記蓋体で壁部の上端が下方に押圧されて成ることを特徴としている。
この構成を採用すると、流路が偏平に形成されるので、流路を挟んで対向して配されるＮ磁極とＳ磁極同志をさらに接近して配することができ、より強い磁界を流体に与えることが可能となる。また、フィルタ装置を配管の途中に配置した後のフィルタの交換が、フィルタ装置を配管から取り外すことなく容易に行える。
【０００６】
【発明の実施の形態】
以下、本発明に係る液体用フィルタ装置の好適な実施の形態を添付図面に基づいて詳細に説明する。一例として、金型に所定の温度の水を流して金型自体の温度を制御する金型用温調機に使用される液体用フィルタ装置を用いて説明する。
まず、このフィルタ装置１０の概要構造について図１と図２を用いて説明する。
１２はボディ部であり、流入口１４と流出口１６とが設けられている。なお、本実施の形態では流入口１４と流出口１６の内周面には雌ネジが形成され、流入口１４と流出口１６には外周面に逆止リブが長手方向に沿って複数形成された管継手１８が螺着されている。このように管継手１８がボディ部１２に取り付けられていることにより、フィルタ装置１０を、金型（不図示）と金型用温調機（不図示）との間に流路を形成する配管の途中に容易に介装することができる。一例としてアルミニウム、ステンレス、合成樹脂等の非磁性材料を用いて形成されている。
２０はフィルタである。このフィルタ２０は、ケース２２と当該ケース２２の内部に収納された後述するエレメントとから構成される。
なお、２４はボディ部１２に設けられた後述するマグネット装着孔を閉塞するための蓋体である。蓋体２４はこのマグネット装着孔に螺合する構造となっており、非磁性材料（一例としてスレンレス、アルミニウム金属、合成樹脂材料等）を用いて形成されている。
【０００７】
次に、ボディ部１２の詳細な構成について図３を用いて説明する。なお、本図は管継手１８を取り外した状態である。
２６はボディ部１２内に形成された流路である。流路２６はボディ部１２に取り付けられるフィルタ２０を介して流入口１４と流出口１６とを連絡する構造となっている。
この流路２６は、流入口１４からフィルタ２０の取付面２８に至る第１の流路２６ａ、フィルタ２０に設けられた接続用雌螺孔３０に螺合する接続用雄螺３２内部に形成され、流路２６の一部を構成するマグネット装着孔３４に至る第２の流路２６ｂを有している。
【０００８】
また３６はマグネット３８ａ、３８ｂが装着される装着管体である。この装着管体３６には非磁性材料（一例としてステンレス、アルミニウム金属、合成樹脂材料等）が用いられ、図３〜図６に示すように、マグネット３８ａ、３８ｂを収納する一対の収納凹部４０が外周面に形成されると共に、中央部分には軸線方向に沿って上下面を貫通し、マグネット装着孔３４に装着された際には流路２６の一部を構成する偏平な貫通孔４２が一対の収納凹部４０に挟まれるようにして設けられている。なお、収納凹部４０の形状は本実施の形態では断面円形に形成されているが、マグネット３８ａ、３８ｂの形状に合わせて断面方形としても良い。
また、貫通孔４２は収納凹部４０同志の距離が短くなるように偏平に形成されているが、さらに距離が短くなるように貫通孔４２と収納凹部４０とを隔てる隔壁４４は強度を確保できる範囲内でより肉薄に形成した方が良い。
【０００９】
また、貫通孔４２が開口する上面４６の周縁部分には蓋体２４の下面と当接する壁部４８が周設されている。そして壁部４８には、壁部４８の上端が蓋体２４の下面と当接した際に貫通孔４２とマグネット装着孔３４とを連通させるための透孔５０が１または２以上設けられている。本実施の形態では一例として貫通孔４２を中心として９０度毎に４か所設けられている。
そしてこの装着管体３６の一対の収納凹部４０内に、２つのマグネット３８ａ、３８ｂが互いの異なる磁極（Ｓ磁極とＮ磁極）同志が、貫通孔４２を挟んで対向するように収納される。この状態で装着管体３６がマグネット装着孔３４内に挿入され、装着管体３６の下面がマグネット装着孔３４の底面に密着するように蓋体２４で装着管体３６の壁部４８の上端を下方に押圧する。これにより、第２の流路２６ｂは貫通孔４２と透孔５０を介してのみマグネット装着孔３４と連通する構成となる。
【００１０】
続いて、フィルタ２０について説明すると、フィルタ２０は円筒状のエレメント５２とケース２２とが一体に形成されたカートリッジ型に形成されている。
このようにカートリッジ型に形成され、ボディ部１２に着脱自在に取り付け可能な構造となっているため、フィルタ装置１０を配管の途中に設置した後のフィルタ２０の交換が、フィルタ装置１０を配管から取り外すことなく容易に行えるようになる。
また、フィルタ２０のボディ部１２への取付構造は、接続用雌螺孔３０が中央部分に設けられ、かつ周縁部分にはシール用のゴム製のシールリング５４が配された当接面５６が、接続用雌螺孔３０に接続用雄螺３２が螺着されてボディ部１２の取付面２８と密着する構造となっている。これにより、水密にフィルタ２０がボディ部１２に取り付けられ、かつ第１の流路２６ａと第２の流路２６ｂとの間にフィルタ２０が介装されて、流入口１４から流れ込んだ水がフィルタ２０を介して流出口１６に流れ出ることが可能となる。
なお、第１の流路２６ａから流れ出た水は、フィルタ２０の当接面５６に、接続用雌螺孔３０を中心として同一円周上に等角度間隔で設けられた取り入れ孔５８からエレメント５２の全周に略均等に導かれる。
【００１１】
続いて、図８を用いてフィルタ装置１０による水の濾過動作と共に、水の磁化および活性化の動作について説明する。
フィルタ装置１０が、金型（不図示）と金型用温調機（不図示）との間の流路を形成する配管の途中に介装されると、配管を流れてきた水は二点鎖線で示すように、流入口１４→第１の流路２６ａ→取り入れ孔５８→エレメント５２→第２の流路２６ｂ→貫通孔４２→透孔５０→マグネット装着孔３４→流出口１６というように流れる。
この際に、エレメント５２において水中に含まれる異物が濾過される。また、水は貫通孔４２を通過する際に、偏平な貫通孔４２を挟んで接近して配されたマグネット３８ａ、３８ｂ間に形成された磁界により、磁化される。ここで、対向する各マグネット３８ａ、３８ｂの異磁極間の距離は従来と比べてより短くなり、従って磁界強度も強くなっているので、水の磁化や活性化も一層効率よく行える。
よって、上記水を金型（不図示）と金型用温調機（不図示）との間の配管、そして金型自体の内部や金型用温調機自体の内部を流すことで、各構成部分の流路の内壁面に付着したスケール等の除去がさらに効率よく、短時間で確実に行える。
【００１２】
以上、本発明の好適な実施の形態について種々述べてきたが、本発明は上述する実施の形態に限定されるものではなく、金型の温度調節のための循環系への使用に代えて、例えば自動車用エンジンの冷却水や循環風呂の風呂水の循環系等に使用しても良く、これにより水の浄化と共に循環系の配管のクリーニングも簡単に行える等、発明の精神を逸脱しない範囲で多くの改変を施し得るのはもちろんである。
【００１３】
【発明の効果】
本発明に係る液体用フィルタ装置を用いると、Ｎ磁極とＳ磁極とにより挟まれた流路が偏平に形成されているので、流路を挟んで対向して配されるＮ磁極とＳ磁極同志を一層接近して配することができる。これにより、Ｎ磁極とＳ磁極間に生ずる磁界がさらに強くなり、この磁界中を流れる流体に強い磁気を帯びさせることができるため、流体のスケール等の除去能力を高めることが可能となる。よって、流路内のクリーニングが容易に、かつ確実に行える。
また、水の活性化も一層効率よく行えるため、赤錆やバクテリア等の発生防止が行えるという著効を奏する。
また、フィルタ装置を配管の途中に配置した後のフィルタの交換が、フィルタ装置を配管から取り外すことなく容易に行える。
【図面の簡単な説明】
【図１】  本発明に係る液体用フィルタ装置の一実施の形態の構成を示す正面図。
【図２】  図１の平面図。
【図３】  図１のフィルタ装置の内部構造を示す要部切欠分解組み立て図。
【図４】  図３の装着管体の構成を示すための分解組み立て平面図。
【図５】  図４の装着管体の側面図。
【図６】  図５の装着管体の内部構造を示すＢ−Ｂ断面図。
【図７】  図３のフィルタの当接面の構造を示す平面図。
【図８】  図２のＡ−Ａ断面図。
【符号の説明】
１０  液体用フィルタ装置
１２  ボディ部
１４  流入口
１６  流出口
２０  フィルタ
２６  流路
４２  貫通孔
【図１】
0003701077.tif 000002
【図２】
0003701077.tif 000003
【図３】
0003701077.tif 000004
【図４】
0003701077.tif 000005
【図５】
0003701077.tif 000006
【図６】
0003701077.tif 000007
【図７】
0003701077.tif 000008
【図８】
0003701077.tif 000009